(57)【要約】【課題】操作が容易で均一に高い密閉性を実現できる蓋開閉装置を提供する。【解決手段】本発明の蓋開閉装置は、ヒンジ部及び同一円周上に配設された少なくとも３個の円弧状のロックガイドを有する本体と、本体に対して開閉可能に取り付けられた開閉蓋と、を有し、開閉蓋は、ロックガイドと同数の開閉蓋保持爪挿通孔と、第１の凸部とを有し、ヒンジ部に回動可能に軸支され、開閉蓋を閉じた状態において本体を略覆う上蓋と、開閉蓋保持爪挿通孔に挿通されそれぞれのロックガイドと係合又は離反可能な複数の開閉蓋保持爪と、円周方向に回動可能であるように第１の凸部と係合する第１の凹部とを有する回転リングと、上蓋に取り付けられ、回転リングを上蓋との間に回転可能に挟持する上蓋カバーと、を備え、回転リングの回動に伴って、開閉蓋保持爪がロックガイドと係合又は離反することにより、本体と開閉蓋とがロックし又は解除する。【選択図】        図１
2004318979.tif 000002
【特許請求の範囲】
【請求項１】
ヒンジ部及び同一円周上に配設された少なくとも３個の円弧状のロックガイドを有する本体と、前記本体に対して開閉可能に取り付けられた開閉蓋と、を有し、
前記開閉蓋は、
前記ロックガイドと同数の開閉蓋保持爪挿通孔と、第１の凸部とを有し、前記ヒンジ部に回動可能に軸支され、前記開閉蓋を閉じた状態において前記本体を略覆う上蓋と、
前記開閉蓋保持爪挿通孔に挿通されそれぞれの前記ロックガイドと係合又は離反可能な複数の開閉蓋保持爪と、円周方向に回動可能であるように前記第１の凸部と係合する第１の凹部とを有する回転リングと、
前記上蓋に取り付けられ、前記回転リングを前記上蓋との間に回転可能に挟持する上蓋カバーと、
を備え、
前記回転リングの回動に伴って、前記開閉蓋保持爪が前記ロックガイドと係合又は離反することにより、前記本体と前記開閉蓋とがロックし又はロック解除することを特徴とする蓋開閉装置。
【請求項２】
前記上蓋は更に複数の回転リング保持爪を有し、
前記回転リングは、前記回転リングをその円周方向に回動可能に保持するように、それぞれの前記回転リング保持爪と係合する複数の回転リングガイド孔を有することを特徴とする請求項１に記載の蓋開閉装置。
【請求項３】
ヒンジ部及び同一円周上に配設された少なくとも３個の円弧状のロックガイドを有する本体と、前記本体に対して開閉可能に取り付けられた開閉蓋と、を有し、
前記開閉蓋は、
複数の回転リング保持爪と、前記ロックガイドと同数の開閉蓋保持爪挿通孔とを有し、前記ヒンジ部に回動可能に軸支され、前記開閉蓋を閉じた状態において前記本体を略覆う上蓋と、
前記開閉蓋保持爪挿通孔に挿通されそれぞれの前記ロックガイドと係合又は離反する複数の開閉蓋保持爪と、回転リングをその円周方向に回動可能に保持するようにそれぞれの前記回転リング保持爪と係合する複数の回転リングガイド孔とを有する回転リングと、
を備え、
前記回転リングの回動に伴って、前記開閉蓋保持爪が前記ロックガイドと係合又は離反することにより、前記本体と前記開閉蓋とがロックし又はロック解除することを特徴とする蓋開閉装置。
【請求項４】
前記回転リングガイド孔の両端が、前記回転リング保持爪を係止することにより、前記回転リングの回転ストッパの役割を果たしていることを特徴とする請求項２又は請求項３に記載の蓋開閉装置。
【請求項５】
前記開閉蓋を閉じた状態において、前記開閉蓋と前記本体とが密着する方向に前記ヒンジ部に応力が働くように、前記ヒンジ部の回転軸が配置され、
前記本体は、少なくとも３個の円弧状のロックガイドに代えて、少なくとも２個の円弧状のロックガイドを有することを特徴とする請求項１から請求項４のいずれかの請求項に記載の蓋開閉装置。
【請求項６】
前記ロックガイドは傾斜部及び／又は第２の凸部を有し、
前記開閉蓋保持爪を前記ロックガイドに係合する方向に移動させると、前記傾斜部は、前記開閉蓋と前記本体とが密着する方向に前記開閉蓋保持爪をガイドし、前記第２の凸部は、前記第２の凸部を乗り越えた前記開閉蓋保持爪を前記回転リングがロック解除する方向に移動しないように保持することを特徴とする請求項１から請求項５のいずれかの請求項に記載の蓋開閉装置。
【請求項７】
前記本体は、側面に配設された複数の第２の凹部を更に有し、
前記開閉蓋は、側面に配設され内側に突出する第３の凸部と、ロック片回転中心孔と、連係軸とをそれぞれ有する複数のロック片を更に有し、
前記上蓋は、前記ロック片回転中心孔に挿通され前記ロック片を回動可能に保持する複数のロック片回転中心軸を更に有し、
前記回転リングは、前記連係軸をそれぞれ挿通し、前記回転リングの回転中心より偏心した複数のロック片ガイド孔を更に有し、
前記本体と前記開閉蓋とがロックする方向に前記回転リングを回動すると、前記連係軸が前記ロック片ガイド孔にガイドされることにより、前記第３の凸部が第２の凹部に係合するように、前記ロック片が動くことを特徴とする請求項１から請求項５のいずれかの請求項に記載の蓋開閉装置。
【請求項８】
前記上蓋に取り付けられ、前記回転リングと前記ロック片とを、前記上蓋との間に回動可能に挟持する上蓋カバーを有することを特徴とする請求項７に記載の蓋開閉装置。
【請求項９】
前記第２の凹部は、前記第３の凸部と係合するにつれて、前記開閉蓋と前記本体とが密着する方向に前記第３の凸部をガイドする傾斜面、及び／又はそれを乗り越えた前記第３の凸部を前記回転リングがロック解除する方向に移動しないように保持する第４の凸部を有し、又は、
前記第３の凸部は、前記第２の凹部と係合するにつれて、前記開閉蓋と前記本体とが密着する方向に前記第３の凸部が移動するように傾斜した、前記第２の凹部との摺動面を有することを特徴とする請求項７に記載の蓋開閉装置。
【請求項１０】
前記本体及び／又は前記上蓋は、前記ロックガイドをその中に含まない閉路を形成し前記開閉蓋を閉めた状態で内部を密閉するパッキング部材を更に有することを特徴とする請求項１から請求項９のいずれかの請求項に記載の蓋開閉装置。
【請求項１１】
前記本体が前記ロックガイドに代えて前記開閉蓋保持爪を有し、前記回転リングが前記開閉蓋保持爪に代えて前記ロックガイドを有することを特徴とする請求項１から請求項１０のいずれかの請求項に記載の蓋開閉装置。
【請求項１２】
前記本体は前記第２の凹部に代えて側面に配設され外側に突出する第３の凸部を有し、前記ロック片は前記第３の凸部に代えて前記第２の凹部を有することを特徴とする請求項７から請求項１１のいずれかの請求項に記載の蓋開閉装置。
【請求項１３】
前記上蓋は前記ロック片回転中心軸に代えて貫通しない前記ロック片回転中心孔を有し、前記ロック片は前記ロック片回転中心孔に代えて前記ロック片回転中心軸を有することを特徴とする請求項７から請求項１２のいずれかの請求項に記載の蓋開閉装置。
【請求項１４】
前記回転リングは前記ロック片ガイド孔に代えて前記連係軸を有し、前記ロック片は前記連係軸に代えて前記ロック片ガイド孔を有することを特徴とする請求項７から請求項１３のいずれかの請求項に記載の蓋開閉装置。
【請求項１５】
請求項１から請求項１４のいずれかの請求項に記載の前記蓋開閉装置を有し、前記回転リングの内側の前記上蓋に操作部を設けたことを特徴とするディスク装置。
【発明の詳細な説明】
【０００１】
【発明の属する技術分野】
本発明は、蓋開閉装置に関する。
【０００２】
【従来の技術】
近年、ポータブルディスク装置が市場に広がっている。一般にポータブルディスク装置は、ディスク状記録媒体が着脱自在に装着されるディスクドライブ装置を有する本体と、本体を開閉自在に覆う開閉蓋とを備えている。開閉蓋によってディスクドライブ装置を覆うことによって、内部に水やホコリなどの侵入を防ぎ、ディスクを保護する。例えば音楽を聴くことを好む使用者は、ポータブルディスク装置をどこへでも携帯する。そのような使用者から、例えば海辺での使用に耐える、使用者が簡単に装置をロック／リリース可能で、ロック時には生活防水形（ＪＩＳの保護等級４級）程度の防水の効果を有する蓋開閉装置を備えたポータブルディスク装置が望まれている。
【０００３】
特許文献１（特開平６−２４３６７０号公報）に、従来例１のディスクプレーヤの開閉蓋ロック装置が開示されている。従来例１では、本体と開閉蓋とを係合する係合レバーと、係合レバーを開閉蓋と係合しない位置に移動させるロック解除機構とを本体に配置する。本体の左右両側に、ロック解除機構を動作させるためのドアオープンボタンを設ける。従って、使用者の利き腕がどちらであっても、利き腕に応じたドアオープンボタンを操作することにより、簡単にロックを解除し、開閉蓋を開けることができる。
【０００４】
特許文献２（特開２０００−３３２４４７号公報）に、例えばポータブルコンパクトディスク装置の開閉蓋のロック／リリースを行うための従来例２の蓋開閉装置が開示されている。従来例２の蓋開閉装置は、本体に対して開閉自在に構成された開閉蓋の左右に、蓋表面に平行方向に回動するバックルを配設し、２つのバックルが連動するように構成したものである。使用者は、ワンタッチで２つのバックルを同時にロック／リリースできる。
【０００５】
【特許文献１】
特開平６−２４３６７０号公報
【特許文献２】
特開２０００−３３２４４７号公報
【０００６】
【発明が解決しようとする課題】
従来例１の開閉蓋ロック装置は、開閉蓋を閉じた状態で、ヒンジ部と係合レバーとの２点で開閉蓋と本体とを接続する。しかし一般に、開閉蓋を本体に対してロックし防水効果を得るためには、開閉蓋と本体とを少なくとも３箇所以上で係合し、開閉蓋を本体に均一に押し付ける必要がある。
従来例２の蓋開閉装置を用いたポータブルコンパクトディスク装置は、蓋開閉装置（バックル及び連動構成部）を、開閉蓋の自由端寄りに配置している。開閉蓋は、開閉蓋と本体とを連結する支軸及び２つのバックルの３点でロックされる。しかし、従来例２においては、開閉蓋を閉じた状態で、開閉蓋を本体に押し付ける力は２つのバックルの２点でしか働いていないと思われる。
【０００７】
もし従来例２において、開閉蓋を閉じた状態で、ヒンジ部と２つのバックルとの３点で開閉蓋を本体に押し付ける力が働いているとしても、従来例２の構造では、開閉蓋を本体に押し付ける力が、開閉蓋と本体との接合部の全ての部分に均一に働くようにすることは困難である。従来例２において、ヒンジ部と、２つのバックルはそれぞれ別個の部品であり、別個に本体に取り付けられている故、開閉蓋と本体との接合部が規定する平面と、ヒンジ部及び２つのバックルの係止点が規定する平面との平行度を確保することが困難だからである。
【０００８】
上記の従来例の蓋開閉装置は生活防水機能を有しておらず又は有することが困難であった。本発明は、高い密閉性（例えば生活防水形以上の防水効果を奏する密閉性）を有し、蓋の開閉が容易で、耐久性があり安価で組み立て易く（部品点数が少ない）高い信頼性を有する軽量で小型の蓋開閉装置を提供することを目的とする。本発明は、更に回転リングを回転させるという新しい蓋の開閉方法を実現する（デザイン的に優れた外観を実現し、新しい蓋の開閉操作方法は使用者に新鮮な印象を与える。）蓋開閉装置を提供することを目的とする。
【０００９】
【課題を解決するための手段】
上記課題を解決するため、本発明は以下の構成を有する。請求項１に記載の発明は、ヒンジ部及び同一円周上に配設された少なくとも３個の円弧状のロックガイドを有する本体と、前記本体に対して開閉可能に取り付けられた開閉蓋と、を有し、前記開閉蓋は、前記ロックガイドと同数の開閉蓋保持爪挿通孔と、第１の凸部とを有し、前記ヒンジ部に回動可能に軸支され、前記開閉蓋を閉じた状態において前記本体を略覆う上蓋と、前記開閉蓋保持爪挿通孔に挿通されそれぞれの前記ロックガイドと係合又は離反可能な複数の開閉蓋保持爪と、円周方向に回動可能であるように前記第１の凸部と係合する第１の凹部とを有する回転リングと、前記上蓋に取り付けられ、前記回転リングを前記上蓋との間に回転可能に挟持する上蓋カバーと、を備え、前記回転リングの回動に伴って、前記開閉蓋保持爪が前記ロックガイドと係合又は離反することにより、前記本体と前記開閉蓋とがロックし又はロック解除することを特徴とする蓋開閉装置である。
【００１０】
開閉蓋は下から順に、上蓋、回転リング、上蓋カバーの順に重ねて組み立てられている。使用者は、回転リングに取り付けた操作レバーを用いて、回転リングを回動させるという１つの動作のみによって、蓋をロック／解除できる。本発明は、容易に蓋を開閉できる蓋開閉装置を実現する。
本発明の蓋開閉装置は、操作箇所が１箇所でありながら均一に高い密閉性を実現できるという作用を有する。
【００１１】
回転リングが上蓋と接して回転する故、回転リングと、上蓋と、本体とは、高い平行度を実現できる。回転リングは一体で形成されている故、開閉蓋と本体との接合部が規定する平面と、少なくとも３個の開閉蓋保持爪と本体に設けられたロックガイドとの係止点が規定する平面とは、高い平行度を実現できる。それ故、ロック時に開閉蓋を本体に均一に押し付けることができる。本発明によれば、回転リングに設けられた少なくとも３個の開閉蓋保持爪と本体に設けられたロックガイドとで、上蓋を本体に押し付けることにより、高い密閉性を有する蓋開閉装置を実現する。本発明は、生活防水形以上の防水効果を奏する蓋開閉装置を実現できる。
【００１２】
上蓋に第１の凸部を設け、回転リングに第１の凹部を設けることにより、回転リングを回動可能に保持すると共に、上蓋と回転リングとの剛性を高めることができる。開閉蓋と本体との間で高い密閉性を実現しようとすれば、上蓋及び回転リングに相当のストレスが掛かる。本発明によれば、上蓋と回転リングとは高い剛性を有する故、上記ストレスによって上蓋又は回転リングが変形して密閉性が劣化するという問題が発生しにくい。本発明は、耐久性に高い信頼性を有する蓋開閉装置を実現できる。上記の構造により、上蓋及び回転リングを軽量の材料（例えば樹脂）で、薄い肉厚で構成できる。本発明は、軽量で小型の蓋開閉装置を実現できる。
【００１３】
開閉蓋の周辺部のみに可動部（回転リング）があり、開閉蓋の中心部に可動部がない（開閉装置に含まれない可動部（例えば操作部の可動式押しボタン）を除く。）故、上蓋は開閉装置を構成するための開口部を中心部に有しない。これにより、更に開閉蓋と本体との間で高い密閉性を実現する。
【００１４】
本発明は、少ない部品点数の安価な部品で構成できる故、安価で組み立て易い（部品点数が少ない）蓋開閉装置を実現できる。
回転リングを回転させるという蓋の開閉方法は、デザイン的に優れた外観を実現し、新しい蓋の開閉操作方法は使用者に新鮮な印象を与える。
「上蓋」の語は、上蓋単体を示す場合の他、上蓋と上蓋に取り付けられた他の部材（例えば実施の形態の上蓋固定板２００）との全体を示す場合を含む。他の部品についても同様である。
【００１５】
請求項２に記載の発明は、前記上蓋は更に複数の回転リング保持爪を有し、前記回転リングは、前記回転リングをその円周方向に回動可能に保持するように、それぞれの前記回転リング保持爪と係合する複数の回転リングガイド孔を有することを特徴とする請求項１に記載の蓋開閉装置である。
【００１６】
本発明においては、更に回転リング保持爪が回転リングガイド孔と回動可能に係合する。例えば製造工程において、上蓋カバーを取る付ける前に、回転リングを上蓋に仮取り付けすることができる。本発明は、更に組み立てが容易な蓋開閉装置を実現する。
回転リングの可動範囲の全ての角度において、回転リング保持爪が回転リングガイド孔と係合しても良く、回転リングの可動範囲の一部の角度において、回転リング保持爪が回転リングガイド孔と係合しても良い。
【００１７】
請求項３に記載の発明は、ヒンジ部及び同一円周上に配設された少なくとも３個の円弧状のロックガイドを有する本体と、前記本体に対して開閉可能に取り付けられた開閉蓋と、を有し、前記開閉蓋は、複数の回転リング保持爪と、前記ロックガイドと同数の開閉蓋保持爪挿通孔とを有し、前記ヒンジ部に回動可能に軸支され、前記開閉蓋を閉じた状態において前記本体を略覆う上蓋と、前記開閉蓋保持爪挿通孔に挿通されそれぞれの前記ロックガイドと係合又は離反する複数の開閉蓋保持爪と、回転リングをその円周方向に回動可能に保持するようにそれぞれの前記回転リング保持爪と係合する複数の回転リングガイド孔とを有する回転リングと、を備え、前記回転リングの回動に伴って、前記開閉蓋保持爪が前記ロックガイドと係合又は離反することにより、前記本体と前記開閉蓋とがロックし又はロック解除することを特徴とする蓋開閉装置である。
本発明は、請求項１の構成に代えて、上蓋に設けられた複数の回転リング保持爪が回転リングを回動可能に保持する。本発明は、請求項１と同様の作用を有し、同様の効果を奏する。
【００１８】
請求項４に記載の発明は、前記回転リングガイド孔の両端が、前記回転リング保持爪を係止することにより、前記回転リングの回転ストッパの役割を果たしていることを特徴とする請求項２又は請求項３に記載の蓋開閉装置である。
本発明は、少ない部品点数の安価な部品で構成できる故、安価で組み立て易い（部品点数が少ない）蓋開閉装置を実現できる。
【００１９】
請求項５に記載の発明は、前記開閉蓋を閉じた状態において、前記開閉蓋と前記本体とが密着する方向に前記ヒンジ部に応力が働くように、前記ヒンジ部の回転軸が配置され、前記本体は、少なくとも３個の円弧状のロックガイドに代えて、少なくとも２個の円弧状のロックガイドを有することを特徴とする請求項１から請求項４のいずれかの請求項に記載の蓋開閉装置である。
【００２０】
本発明は、回転リングに設けられた少なくとも２個の開閉蓋保持爪とヒンジ部とで、上蓋を本体に押し付けることにより、ロック時に開閉蓋を本体に均一に押し付けることができる。本発明は、高い密閉性を有する蓋開閉装置を実現する。本発明は、生活防水形以上の防水効果を奏する蓋開閉装置を実現できる。
ロック時に開閉蓋を本体に押し付ける力の均一度において、本発明の構成は、少なくとも３個の開閉蓋保持爪が回転リングの一部として一体に形成されている請求項１等の発明より劣る可能性があるが、実用的なレベルの高い密閉性を実現できる。
【００２１】
請求項６に記載の発明は、前記ロックガイドは傾斜部及び／又は第２の凸部を有し、前記開閉蓋保持爪を前記ロックガイドに係合する方向に移動させると、前記傾斜部は、前記開閉蓋と前記本体とが密着する方向に前記開閉蓋保持爪をガイドし、前記第２の凸部は、前記第２の凸部を乗り越えた前記開閉蓋保持爪を前記回転リングがロック解除する方向に移動しないように保持することを特徴とする請求項１から請求項５のいずれかの請求項に記載の蓋開閉装置である。
【００２２】
本発明は、高い密閉性を有し、及び／又は使用者の意図に反してロックが解除されるという事故が起きにくい蓋開閉装置を実現できる。
ロックガイドが凸部を有しているため、使用者はロック完了を確実に感得できると共に、良好なロック状態が得られる。ロック状態又はリリース（解除）状態から不用意に回転リングが回動されないので、ロック状態又はリリース状態を確実に保つことができる。
ロックガイドが傾斜部を有しているので、蓋はロック動作時に、徐々に本体に接近する。蓋はリリース動作時に、徐々に本体から遠ざかる。本発明はスムーズな蓋の開閉を実現する。
【００２３】
請求項７に記載の発明は、前記本体は、側面に配設された複数の第２の凹部を更に有し、前記開閉蓋は、側面に配設され内側に突出する第３の凸部と、ロック片回転中心孔と、連係軸とをそれぞれ有する複数のロック片を更に有し、前記上蓋は、前記ロック片回転中心孔に挿通され前記ロック片を回動可能に保持する複数のロック片回転中心軸を更に有し、前記回転リングは、前記連係軸をそれぞれ挿通し、前記回転リングの回転中心より偏心した複数のロック片ガイド孔を更に有し、前記本体と前記開閉蓋とがロックする方向に前記回転リングを回動すると、前記連係軸が前記ロック片ガイド孔にガイドされることにより、前記第３の凸部が第２の凹部に係合するように、前記ロック片が動くことを特徴とする請求項１から請求項５のいずれかの請求項に記載の蓋開閉装置である。
本発明は、更に高い密閉性を有し、及び／又は使用者の意図に反してロックが解除されるという事故が起きにくい蓋開閉装置を実現できる。
【００２４】
請求項８に記載の発明は、前記上蓋に取り付けられ、前記回転リングと前記ロック片とを、前記上蓋との間に回動可能に挟持する上蓋カバーを有することを特徴とする請求項７に記載の蓋開閉装置である。
本発明は、少ない部品点数の安価な部品で構成できる故、安価で組み立て易い（部品点数が少ない）蓋開閉装置を実現できる。
【００２５】
請求項９に記載の発明は、前記第２の凹部は、前記第３の凸部と係合するにつれて、前記開閉蓋と前記本体とが密着する方向に前記第３の凸部をガイドする傾斜面、及び／又はそれを乗り越えた前記第３の凸部を前記回転リングがロック解除する方向に移動しないように保持する第４の凸部を有し、又は、前記第３の凸部は、前記第２の凹部と係合するにつれて、前記開閉蓋と前記本体とが密着する方向に前記第３の凸部が移動するように傾斜した、前記第２の凹部との摺動面を有することを特徴とする請求項７に記載の蓋開閉装置である。
本発明は、更に高い密閉性を有し、及び／又は使用者の意図に反してロックが解除されるという事故が起きにくい蓋開閉装置を実現できる。第３の凸部により、使用者はロック完了を確実に感得できる。
【００２６】
請求項１０に記載の発明は、前記本体及び／又は前記上蓋は、前記ロックガイドをその中に含まない閉路を形成し前記開閉蓋を閉めた状態で内部を密閉するパッキング部材を更に有することを特徴とする請求項１から請求項９のいずれかの請求項に記載の蓋開閉装置である。
本発明は、パッキング部材で囲まれた領域内に蓋開閉装置の構成に係る開口部又は隙間等がない故、高い密閉性を有する高い信頼性の蓋開閉装置を実現できる。好ましくはロックガイドを、本体の最外周に設ける。
【００２７】
請求項１１に記載の発明は、前記本体が前記ロックガイドに代えて前記開閉蓋保持爪を有し、前記回転リングが前記開閉蓋保持爪に代えて前記ロックガイドを有することを特徴とする請求項１から請求項１０のいずれかの請求項に記載の蓋開閉装置である。本発明は、上記と同様の効果を奏する。
【００２８】
請求項１２に記載の発明は、前記本体は前記第２の凹部に代えて側面に配設され外側に突出する第３の凸部を有し、前記ロック片は前記第３の凸部に代えて前記第２の凹部を有することを特徴とする請求項７から請求項１１のいずれかの請求項に記載の蓋開閉装置である。本発明は、上記と同様の効果を奏する。
【００２９】
請求項１３に記載の発明は、前記上蓋は前記ロック片回転中心軸に代えて貫通しない前記ロック片回転中心孔を有し、前記ロック片は前記ロック片回転中心孔に代えて前記ロック片回転中心軸を有することを特徴とする請求項７から請求項１２のいずれかの請求項に記載の蓋開閉装置である。本発明は、上記と同様の効果を奏する。
【００３０】
請求項１４に記載の発明は、前記回転リングは前記ロック片ガイド孔に代えて前記連係軸を有し、前記ロック片は前記連係軸に代えて前記ロック片ガイド孔を有することを特徴とする請求項７から請求項１３のいずれかの請求項に記載の蓋開閉装置である。本発明は、上記と同様の効果を奏する。
【００３１】
請求項１５に記載の発明は、請求項１から請求項１４のいずれかの請求項に記載の前記蓋開閉装置を有し、前記回転リングの内側の前記上蓋に操作部を設けたことを特徴とするディスク装置である。本発明は、上記と同様の効果を奏する使い易いディスク装置を実現できる。
【００３２】
【発明の実施の形態】
以下本発明の実施をするための最良の形態を具体的に示した実施の形態について、図面とともに記載する。
【００３３】
《実施の形態１》
図１〜図５を用いて本発明の実施の形態１の蓋開閉装置を備えたポータブルコンパクトディスク装置を説明する。
図１、図２はそれぞれ、本発明の実施の形態１の蓋開閉装置を備えたポータブルコンパクトディスク装置１のロック状態での外観図、開閉蓋２を開けた状態を示す斜視図である。図３は、斜め上方から見下ろした視点による要部の分解斜視図である。図４は、斜め下方から見上げた視点によるポータブルコンパクトディスク装置１を構成する、本体１００、上蓋３００、回転リング４００、ロック片５００及びロック片５０１の分解斜視図である。図５（ａ）及び図５（ｂ）は、ポータブルコンパクトディスク装置１の蓋開閉装置のリリース状態及びロック状態での要部斜視図である。
【００３４】
１は、本発明の実施の形態１の蓋開閉装置を備えたポータブルコンパクトディスク装置（再生専用装置である。）、１００は本体、２は開閉蓋である。ポータブルコンパクトディスク装置１は、開閉蓋２が閉じた状態では、全体で中心部にある程度の厚みを有する円盤状の形状をなしている（図１）。開閉蓋２は、本体１００のヒンジ部３に回動可能に取り付けられている。本体１００の内部に、ディスク再生部７０２が設けられている。使用者は、開閉蓋２を開けた状態（図２）でコンパクトディスクをディスク再生部７０２の所定位置に載置し、開閉蓋２を閉じ、開閉蓋２をロックし、所定の操作によってディスク再生部７０２のコンパクトディスク再生機能を動作させ、コンパクトディスクを視聴する。
【００３５】
図１〜図５を用いて、実施の形態１の蓋開閉装置の構成を更に説明する。最初に本体１００を説明する。本体１００は、ヒンジ部３と、ロックガイド取付部１１４に取り付けられた３個のロックガイド１０３、１１５及び１１６（以下、これらを区別しない場合は、単に「ロックガイド」と言う。）と、ディスク再生部７０２とを有する。
【００３６】
３個のロックガイド１０３、１１５及び１１６は、本体１００の最外周部に、同一円周上に配設されている。回転リング４００が回転した時に、回転リング４００に設けられた３つの開閉蓋保持爪４０４がロックガイドに沿って移動する。開閉蓋２を閉じた状態において、開閉蓋保持爪４０４はロックガイド１０３、１１５及び１１５と係合し、開閉蓋２と本体とをロックする。
【００３７】
図５を用いて、ロックガイド１０３の構造を説明する。図５（ａ）は、開閉蓋２が開いた状態におけるロックガイド１０３及び開閉蓋保持爪４０４の状態を示す拡大図である。ロックガイドは、ステンレスで形成されておりわずかに弾性を有する。ロックガイド１０３は、両端部にビス取付孔１１０及び１１１を有する。ビス取付部１１０と１１１との間に、開口部１１３及び凸部１１２が形成され、開口部１１３と凸部１１２との中間地点から、凸部１１２へ向かって傾斜する傾斜部１１７が設けられている。ロックガイド１１６の形状はロックガイド１０３の形状と同一である。ロックガイド１１５は、ロックガイド１０３から開口部１１３及びビス取付孔１１１を取り除き、凸部１１２と傾斜部１１７とを一体化した形状に形成されている。
【００３８】
ロックガイド１０３は、本体１００の上面の内周の３箇所に配設されたロックガイド取付部１１４に、２箇所ねじ止めされている（図２）。ロックガイド１１６は、ロックガイド１０３と同様に本体１００にねじ止めされている。ロックガイド１１５は、１つのビスで（片止め方式で）本体１００にねじ止めされている（図３）。
【００３９】
開閉蓋２を説明する。開閉蓋２は、下から順に上蓋固定板２００、上蓋３００、回転リング４００、ロック片５００、５０１、上蓋カバー６００を重ねた構造を有する。
薄い金属板で形成された上蓋固定板２００には、８個のビス取付孔２０１が設けられている（図３）。上蓋固定板２００の上面には、複数のダイヤフラム構造のスイッチを含む制御回路（図示しない）が形成されている。制御回路は、ディスク再生部７０２とフラットケーブル（図示しない）で接続されている。
【００４０】
上蓋３００は、ヒンジ用突片部３０３、８個のビス取付孔３０７、３個の開閉蓋保持爪ガイド孔３０５、上面に設けられ上方に突出する２個のロック片回転軸３０８、上面に設けられ上方に突出する３個の回転リング保持爪３０１、防水カバー取付孔３０９，シール部材取付孔３１０及びゴム製パッキング３０４を有する。図３に示すように、上蓋３００において、その外周端近傍の環状部を除く部分全体が上側に（上蓋カバー６００に向かう方向に）突出した凸部を形成している。
上蓋３００の中心部に設けられた防水カバー取付孔３０９に、上側から防水カバー７０１が嵌め込まれ、耐水性を有する接着剤で接着されている。シール部材取付孔３１０には、下側から防水ゴム製のシール部材７００（制御回路のスイッチの押しボタンである。）が嵌め込まれている。シール部材７００の底部周縁には外側に張り出した庇部（図示しない）が形成されており、上蓋３００から上方に抜けない。上蓋３００は、開閉蓋２を閉じた状態において本体１００の内側を略覆う。
【００４１】
開閉蓋保持爪ガイド孔３０５は、本体１００の３箇所のロックガイド取付部１１４とロックガイド１０３、１１５、１１６との間のそれぞれの空隙（図２参照）と、開閉蓋２を閉じた状態において重なるように（本体１００と開閉蓋２との接合面に垂直な光を投射した時の投影面の形状が略同一になるように）形成された孔である。開閉蓋保持爪ガイド孔３０５の開口部３０６は、ロックガイド１０３の開口部１１３と同じ形状に形成されている。
【００４２】
回転リング保持爪３０１の先端には、外側に向いたつば３０２が形成されている（図３）。
パッキング３０４は、上蓋３００の下側外周の、開閉蓋保持爪ガイド孔３０５よりも内側に（上蓋の中心に近い側に）嵌め込まれている。パッキング３０４は、開閉蓋保持爪ガイド孔３０５（ロックガイド１０３）をその中に含まない閉路を形成する。開閉蓋２をロックした状態で、パッキング３０４は、上蓋３００と本体１００とにより均一に圧縮され、本体の内部を密閉する。開閉蓋２をロックした状態で、上蓋３００のパッキング３０４の内側には、開閉機構に係る孔又は空隙がない。実施の形態の構成に代えて、パッキング３０４は、本体１００に取り付けられていても良く、上蓋３００と本体１００との両方に取り付けられていても良い。
【００４３】
回転リング４００は、側面に設けられた操作レバー取付部４０２、外周端の下方に突出する３個の開閉蓋保持爪４０４、３個の回転リングガイド孔４０６、２個のロック片ガイド孔４０９が形成されている。図４に示すように、回転リング４００の下面は、その外周端から中心に向かって上側に（上蓋カバー６００に向かう方向に）窪んだ凹部を形成している。回転リング４００の凹部は、回転リング４００がその円周方向に回動可能であるように、上蓋３００の凸部と係合する。
操作レバー取付部４０２に、操作レバー４０１が、ボス４０３を介してねじ止めされている。開閉蓋保持爪４０４の先端の外側には、外側に（回転リング４００の中心から遠ざかる方向に）突出したかまぼこ形の突起部４０５が設けられている（図５（ａ））。
【００４４】
回転リングガイド孔４０６は、回転リング４００の回転中心を中心とする円弧状に形成された孔である。回転リングガイド孔４０６は、開口部４０８と、舌状片４０７とを有する。開口部４０８から回転リングガイド孔４０６に挿通された回転リング保持爪３０１（上蓋３００の上面に設けられており、上方に突出する。）のつば３０２は、舌状片４０７と係合する。これにより、組み立て時に回転リング４００は上蓋３００から外れにくくなっている。実施の形態においては、回転リング４００は、その内面の凹部が上蓋３００の凸部と係合して回動する（回転リング４００は、上蓋３００の凸部に案内されて回転する。）。回転リング保持爪３０１は回転リングガイド孔４０６に案内されていない（回転リング保持爪３０１は回転リングガイド孔４０６の側壁に当接することなく移動する。）。回転リングガイド孔４０６の両端が、回転リング保持爪３０１を係止することにより、回転リング４００の回転ストッパの役割を果たしている。
実施の形態の構成に代えて、回転リング保持爪３０１が回転リングガイド孔４０６に案内されるに従って、回転リング４００が回動しても良い。但し、回転リング４００の回転の滑らかさ及び回転リングの強度等の観点から、実施の形態の構成が好ましい。
【００４５】
ロック片５００及び５０１はそれぞれ、ロック片回転中心孔５０２と下側に設けられ下方に突出する連係軸５０３を有する。図４に示すように、ロック片５００及び５０１の下面は、その外周端から中心に向かって上側に（上蓋カバー６００に向かう方向に）窪んだ凹部を形成している。ロック片５００及び５０１の凹部は、回転リング４００がその円周方向に回動可能であるように、回転リング４００の凸部（回転リング４００の下側が上側に窪んだ凹部を形成している故、薄い樹脂材料でできた回転リング４００の上側が凸部を形成している。）と係合する。
【００４６】
概略的に見てロック片５０１の形状は、ロック片５００とほぼ点対称の形状である（以下、区別しない場合は単に「ロック片」と言う。）。
ロック片回転軸３０８にロック片回転中心孔５０２嵌入すると共に、連係軸５０３をロック片ガイド孔４０９に挿入する。回転リング４００が回動すると、連係軸５０３がロック片ガイド孔４０９に案内されるに従って、ロック片５００、５０１がロック片回転中心孔５０２を中心として回動運動をする。
【００４７】
上蓋カバー６００及び６０１を説明する。上蓋カバー６００、６０１はそれぞれ、４個のボス６０２及びシール部材取付孔６０３を有する。上蓋カバー６０１の形状は、上蓋カバー６００の形状とほぼ同じである（以下、区別しない場合は単に「上蓋カバー」と言う。）。ボス６０２の位置は、上蓋３００に設けられたビス取付孔３０７及び上蓋固定板２００に設けられたビス取付孔２０１の位置に対応する。シール部材取付孔６０３の位置は、上蓋３００に設けられたシール部材取付孔３１０の位置に対応する。
【００４８】
本体１００の筐体、上蓋３００、回転リング４００、操作レバー４０１、ロック片５００及び５０１、上蓋カバー６００及び６０１は、樹脂の成形品である。上蓋固定板２００は、金属製である。
【００４９】
本体１００の組み立て方法を説明する。予め組み立てたディスク再生部７０２を、所定の工程によって本体１００の内部に配設する。ロックガイド１１３を、本体１００のロックガイド取付部１１４にねじ止めする。残りの２つのロックガイドを同様に、本体１００に取り付ける。
【００５０】
開閉蓋２の組み立て方法を説明する。回転リング４００の凹部が上蓋３００の凸部に係合するように、且つ回転リングガイド孔４０６の開口部４０８と回転リング保持爪３０１との位置を合わせて、回転リング４００を上蓋３００の上に載置する。この状態で、開閉蓋保持爪４０４が開閉蓋保持爪ガイド孔３０５の開口部３０６に挿通される。回転リング４００を上蓋３００の下面（パッキング３０４で規定される面）に平行な面上で時計回りに、回転リング保持爪３０１が回転リングガイド孔４０６の端と接して係止されるまで、回動させる。回動時には、舌状片４０７がつば３０２の下側を摺動し、突起４０５が開閉蓋保持爪ガイド孔３０５の外周端よりも外側に突出して移動するので、回転リング４００は上蓋３００から外れない。
【００５１】
ロック片５００のロック片回転中心孔５０２を、上蓋３００のロック片回転軸３０８に嵌め込み、ロック片５００及び５０１の凹部が、回転リング４００の凸部と係合するように、ロック片５００を上蓋３００及び回転リング４００に載置する。この状態で、ロック片５００の連係軸５０３は、回転リング４００のロック片ガイド孔４０９に挿通される。ロック片５０１も同様に、上蓋３００及び回転リング４００に載置する。
【００５２】
上蓋カバー６００のシール部材取付孔６０３の位置を、シール部材７００に合わせ、上蓋３００をロック片５００の上に載置する。上蓋カバー６０１も同様に、上蓋３００及びロック片５００に載置する。
上蓋固定板２００の８個のビス取付孔２０１を上蓋３００のビス取付孔３０７に合わせ、上蓋カバー６００のボス６０２にビスで止める。これにより、上蓋固定板２００が上蓋３００に固定され、回転リング４００、ロック片５００及び５０１が、上蓋３００と上蓋カバー６００により回動可能に挟持される。
【００５３】
以上のように開閉蓋２が組み立てられる。シール部材７００の底部周縁に設けられているゴム製の庇部が、上蓋固定板２００によって上蓋３００の上面に押し付けられるので、開閉蓋２の外側から内側に水が入らない。
【００５４】
上蓋３００に突設されたヒンジ用突片部３０３を、本体１００のヒンジ部３の開口部１０２に嵌め、枢ピン（表示しない）が通すことにより、開閉蓋２を本体１００に回動可能に取り付ける。
使用者は、開閉蓋２を閉め、回転リング４００に取り付けられた回転レバー４０１をパッキング３０４で規定される平面（開閉蓋２と本体１００との接合面）と平行な平面上を時計回り又は反時計回りに動かすことにより、回転リング４００をその円周方向に回転させ、開閉蓋２をロック又はリリースできる。
【００５５】
以上のように構成された、実施の形態１の蓋開閉装置の動作を図５（ａ）及び図５（ｂ）を用いて説明する。
図５（ａ）及び図５（ｂ）は、ポータブルコンパクトディスク装置１の蓋開閉装置のリリース状態及びロック状態での要部斜視図である。使用者は、開閉蓋２を閉め、回転リング４００に取り付けられた回転レバー４０１を開閉蓋２と本体１００との接合面と平行な平面上を時計回り又は反時計回りに動かすことにより、開閉蓋２をロック又はリリースできる。
【００５６】
リリース状態では、開閉蓋保持爪４０４はロックガイド１０３の開口部１１３に位置する（図５（ａ））。回転リング４００を反時計方向に回転させて回転リング保持爪３０１が回転リングガイド孔４０６の端に当たった位置が、リリース状態の位置である。この時、上蓋３００に配設された回転リング保持爪３０１は、回転リングガイド孔４０６の開口部４０８に位置する。
【００５７】
回転リング４００を開閉蓋２と本体１００との接合面に平行な平面上を時計回りに回動することにより、ロック動作を行う。開閉蓋保持爪４０４の突起部４０５は、ロックガイドの１０３下面に当接しながら回動し、ロックガイド１０３に設けられた凸部１１２に接近していく。ロックガイド１０３は開口部１１３と凸部１１２の中間地点から、凸部１１２に向けて傾斜している。開閉蓋保持爪４０４の突起部４０５がロックガイド１０３の傾斜部１１７に沿って移動することにより、徐々に開閉蓋２が本体１００に押し付けられていく。これによりゴム製のパッキング３０４の全体に均一に圧縮応力が加わる。開閉蓋２が本体１００に密着する。この時、ロックガイド１０３もある程度弾性変形する。
【００５８】
突起部４０５が凸部１１２に接触し、乗り越え、ロックが完了する（図１及び図５（ｂ））。ロックガイド１１３及び突起部４０５は、突起部４０５が凸部１１２を乗り越える時弾性変形する。突起部４０５が凸部１１２を乗り越えた時に、使用者に、開閉蓋２がロックされた感覚（クリック感）を与える。凸部１１２は更に、操作レバー４０１が何かに触れて、使用者が意図しないリリースが起きることを防止する。突起部４０５が凸部１１２を乗り越えた所で、回転リング保持爪３０１が回転リングガイド孔４０６の端まで移動し、回転リング４００はそれ以上回動しない。
【００５９】
本体１００の筐体は一体成型されている。その上面は、開閉蓋２との接合面であり、且つに３個のロックガイドが配設されている。３個の開閉蓋保持爪４０４を含む回転リング４００は一体成型されている。一体成型された回転リング４００の３個の開閉蓋保持爪４０４がロックされた状態で規定する平面は、開閉蓋２と本体１００との接合面と高い平行度を有する。３組の開閉蓋保持爪４０４及びロックガイドにより、開閉蓋２は本体１００に全ての接触面に均一の圧力がかかるように押し付けられる。使用者は、操作レバー４０１を時計回りに回動するという、１つの動作によって確実に、開閉蓋２をロックすることができる。
【００６０】
操作レバー４０１を、ロック状態（図５（ｂ））から、本体１００の表面に平行な方向に反時計回りに回動することにより、リリース動作を行う。操作レバー４０１を動かす過程において、開閉蓋保持爪４０４の突起部４０５がロックガイド１０３の凸部１１２を乗り越え、リリース感が得られる。開閉蓋保持爪４０４の突起部４０５がロックガイド１０３の開口部１１３に臨む位置まで、回転リング４００を回動させると、開閉蓋２がリリースされる（図５（ａ））。回転リング保持爪３０１が回転リングガイド孔４０６の端まで移動し、回転リング４００はそれ以上回動しない。開閉蓋２を本体１００に対して回動可能な状態になる。
【００６１】
実施の形態１の蓋開閉装置によれば、使用者は、操作レバー４０１を動かすという１つの動作のみによって、開閉蓋２をロック・リリースできる。開閉蓋２は、３組の開閉蓋保持爪及びロックガイドによって、開閉蓋２と本体１００とが、本体の上面外周端にほぼ均一に分布した３点で本体１００に固定される。回転リング４００の外周端に設けた３個の開閉蓋保持爪４０４を本体の上面外周端に設けたロックガイドと係合又は離反させることにより、ロック又はリリース動作を行う構成としたので、蓋開閉装置の可動部である回転リング４００の移動経路の内側にパッキング３０４を設けることができた。パッキング３０４の内側に蓋開閉装置の可動部はない。ロック時には上蓋３００に配設されたパッキング３０４が本体１００に均一に押し付けられるので、本体１００と開閉蓋２との間から内側に水が入らない。
【００６２】
ロックガイド１０３が凸部１１２を有しているため、使用者はロック完了を確実に感得できると共に、良好なロック状態が得られる。ロック状態から使用者の意図に反して回転リング４００がリリース側に回動することがない、ロック状態を確実に保つことができる。
【００６３】
ロックガイド１０３が傾斜部１１７を有しているので、開閉蓋２は回転リング４００の時計回りの回動時に、徐々に本体１００に接近する。開閉蓋２は回転リング４００の反時計回りの回動時に、徐々に本体１００から遠ざかる。これにより、ロック時には開閉蓋２を本体１００に押し付ける力を徐々に増加させることができ、リリース時には、開閉蓋２を本体１００に押し付ける力を徐々に緩めることができる。使用者が操作レバー４０１を操作する時、使用者の手にロック又はリリースの感触が伝達される。
【００６４】
防水カバー７０１は上蓋３００と一体成形しても良い。上蓋カバー６００と上蓋カバー６０１とを一体成形しても良い。
実施の形態１の蓋開閉装置では、３個のロックガイドを使用した。これに代えて、蓋開閉装置は、開閉蓋２を閉じた状態において、開閉蓋２と本体１００とが密着する方向にヒンジ部３に応力が働くように、ヒンジ部３の回転軸を配置し、本体１００が２個の円弧状のロックガイド１０３及び１１５を有していても良い。
ロックガイドの形状は、凸部を有し、傾斜部を有しない形状としても良い。傾斜部と凸部を兼用しても良い。
【００６５】
《実施の形態２》
図６〜図８を用いて本発明の実施の形態２の蓋開閉装置を備えたポータブルコンパクトディスク装置を説明する。図６は、本発明の実施の形態２の蓋開閉装置を備えたポータブルコンパクトディスク装置の本体、上蓋、回転リング及びロック片の分解斜視図である。
本発明の実施の形態２の蓋開閉装置は、実施の形態２の蓋開閉装置１の本体１００を本体８００に、ロック片５００をロック片９００に、ロック片５０１をロック片９０１に置き換えたものである。その他の構成は、実施の形態１の蓋開閉装置と同じである。実施の形態１と同じ部分に同一の符号を付し、図面及び説明は援用する。
【００６６】
ロック片９００及び９０１はそれぞれ、ロック片回転中心孔９０２、連係軸９０３、ロック部９１１及び凸部９１０を有する。ロック片９００及び９０１は、実施の形態１のロック片５００及び５０１にそれぞれ、ロック部９１１及び凸部９１０を加えたものである。ロック片回転中心孔９０２は実施の形態１のロック片回転中心孔５０２と同じであって、上蓋３００に設けられたロック片回転軸３０８が嵌入される。連係軸９０３は実施の形態１の連係軸５０３と同じであって、回転リング４００に設けられたロック片ガイド孔４０９に挿入される。ロック部９１１には、内向きに角柱状の凸部９１０が設けられている。概略的に見れば、ロック片９０１の形状は、ロック片９００とほぼ点対称の形状である。
【００６７】
ロック片回転軸３０８をロック片回転中心孔９０２に嵌入すると共に、連係軸９０３をロック片ガイド孔４０９に挿入する。回転リング４００を回動させると、連係軸９０３がロック片ガイド孔４０９に案内されるに従って、ロック片９００、９０１がロック片回転中心孔９０２を中心とする回動運動をする。ロック片９００及びロック片９０１は、樹脂で形成される。
本体８００は、本体１００の側面に凹部８１０を更に設けたものである。凹部８１０は、ロック時に凸部９１０に係合するように形成されている。
【００６８】
本発明の実施の形態２の蓋開閉装置の組み立て方法は、実施の形態１の蓋開閉装置の組み立て方法において、本体１００を本体８００に、開口部１０２を開口部８０２に、ロック片５００をロック片９００に、ロック片５０１をロック片９０１に、ロック片回転中心孔５０２をロック片回転中心孔９０２に、連係軸５０３を連係軸９０３置き換えたものと同じであるので説明を省略する。
【００６９】
実施の形態２の蓋開閉装置の動作を図７び図８を用いて説明する。実施例１と同一の動作の説明は省略する。使用者は、開閉蓋２を閉め、回転リング４００に取り付けられた回転レバー４０１を開閉蓋２と本体１００との接合面平行な平面上を時計回り又は反時計回りに動かすことにより、開閉蓋２をロック又はリリースできる。
開閉蓋２は、実施の形態１の蓋開閉装置によってロック／リリースされると同時に、実施の形態２のロック片９００及びロック片９０１によってロック／リリースされる。実施の形態２の蓋開閉装置は、２重ロック構造を有する。ロック片９００及びロック片９０１によって開閉蓋２がロック／リリースされる機構を説明する。図７（ａ）は実施の形態２のポータブルコンパクトディスク装置の蓋開閉装置のリリース状態での平面図、図７（ｂ）はＸ−Ｘ矢視断面図である。図８（ａ）はその蓋開閉装置のロック状態での平面図、図８（ｂ）はＹ−Ｙ矢視断面図である。
【００７０】
リリース状態（図７）では、連係軸９０３は回転リング４００に設けられたロック片ガイド孔４０９の反時計方向の端部に位置し、ロック部９１１の凸部９１０は、本体８００の凹部８１０から離れている。
ロック動作中は、ロック片９００はロック片回転軸３０８を中心とする回動運動をし、凸部９１０は凹部８１０に徐々に接近していく。
凸部９１０が凹部８１０に嵌り、ロックが完了する（図８）。ロック状態では、連係軸９０３は回転リング４００に設けられたロック片ガイド孔４０９の時計方向の端部に位置する。ロック片９０１もロック片９００と同様の動作をする。
【００７１】
リリース動作では、操作レバー４０１を、ロック状態（図８）から、本体８００の表面に平行な方向に反時計回りに回動する。操作レバー４０１を動かす過程において、ロック片９００はロック片回転軸３０８を中心とする回動運動をし、凸部９１０は凹部８１０から徐々に離れていく。凸部９１０が凹部８１０から離れる位置まで、回転リング４００を回動させると、開閉蓋２がリリースされる（図７）。開閉蓋２を本体８００に対して回動可能な状態になる。
【００７２】
実施の形態２の蓋開閉装置によれば、使用者は、操作レバー４０１を動かすという１つの動作のみによって、開閉蓋２を２重にロック／リリースできる。開閉蓋２は、２個のロック片によって本体８００に固定される。
【００７３】
凹部８１０は、凸部９１０と係合するにつれて、開閉蓋２と本体１００とが密着する方向に凸部９１０をガイドする傾斜面、及び／又はそれを乗り越えた凸部９１０がリリースする方向に移動しないように保持する凸部を、凹部８１０の上面に有していても良い。
凸部９１０は、凹部８１０と係合するにつれて、開閉蓋２と本体１００とが密着する方向に凸部９１０が移動するように傾斜した、凹部８１０との摺動面（凸部９１０の上面）を有していても良い。
【００７４】
実施の形態の構成に代えて、蓋開閉装置は下記の構成を有していても良い。
蓋開閉装置は、ロック片５００、５０１がなく、上蓋カバー６００が上蓋３００との間に回転リング４００のみを挟持する構成であっても良い（実施の形態１の変形）。
蓋開閉装置は、ロック片５００、５０１及び上蓋カバー６００がなく、回転リング４００が上蓋３００の回転リング保持爪３０１のみによって保持されても良い。この場合、例えば回転リングガイド孔４０６にストッパを取り付け、回転リング保持爪３０１が回転リングガイド孔４０６の開口部４０８から外れないようにする。回転リング４００が回転リング保持爪３０１と回転リングガイド孔４０６とによって案内されて回転しても良い。
【００７５】
本体１００（又は８００）がロックガイド１０３、１１５、１１６に代えて開閉蓋保持爪を有し、回転リング４００が開閉蓋保持爪４０４に代えてロックガイドを有する蓋開閉装置であっても良い。
本体８００が凹部８１０に代えて側面に配設され外側に突出する凸部を有し、ロック片９００、９０１が凸部９１０に代えてロック部９１１に形成された凹部を有する蓋開閉装置であっても良い（実施の形態２の変形）。
上蓋３００がロック片回転中心軸３０８に代えて貫通しないロック片回転中心孔を有し、ロック片５００、５０１（又は９００、９０１）がロック片回転中心孔９０２に代えてロック片回転中心軸を有する蓋開閉装置であっても良い。
回転リング４００がロック片ガイド孔４０９に代えて連係軸を有し、ロック片５００、５０１（又は９００、９０１）が連係軸９０３に代えてロック片ガイド孔（好ましくは貫通していない。）を有する蓋開閉装置であっても良い。
各構成部品を、樹脂に代えて軽量の金属（例えばアルミニウム又はマグネシウム）で形成しても良い。
【００７６】
本発明は、ポータブルコンパクトディスク装置に限られず、開閉機構を有する任意の装置（特にある程度以上の密閉性を必要とする装置である。コンパクトディスク装置以外のディスク装置を含む。）に適用可能である。
【００７７】
【発明の効果】
本発明によれば、操作箇所が１箇所でありながら均一に高い密閉性を有する蓋開閉装置を実現できるという有利な効果が得られる。本発明によれば、高い密閉性（例えば生活防水形以上の防水効果を奏する密閉性）を有し、蓋の開閉が容易で、耐久性があり安価で組み立て易く（部品点数が少ない）高い信頼性を有する軽量で小型の蓋開閉装置を実現できるという有利な効果が得られる。本発明によれば、更に回転リングを回転させるという新しい蓋の開閉方法を実現する（デザイン的に優れた外観を実現し、新しい蓋の開閉操作方法は使用者に新鮮な印象を与える。）蓋開閉装置を実現できるという有利な効果が得られる。
本発明の蓋開閉装置は、本体に対して開閉可能に取り付けた蓋の開閉装置として、広く利用できるものである。例えば、本発明の蓋開閉装置は、防水性及び防塵性が要求されるポータブルコンパクトディスク装置、気密性が要求される化粧品用コンパクト容器に使用される蓋開閉装置として有用である。
【図面の簡単な説明】
【図１】本発明の実施の形態１の蓋開閉装置を備えたポータブルコンパクトディスク装置のロック状態での外観図
【図２】同ポータブルコンパクトディスク装置の開閉蓋を開けた状態を示す斜視図
【図３】同ポータブルコンパクトディスク装置の要部の分解斜視図
【図４】同ポータブルコンパクトディスク装置の本体、上蓋、回転リング及びロック片の分解斜視図
【図５】図５（ａ）は同ポータブルコンパクトディスク装置の蓋開閉装置のリリース状態での要部斜視図、図５（ｂ）は同ポータブルコンパクトディスク装置の蓋開閉装置のロック状態での要部斜視図
【図６】本発明の実施の形態２の蓋開閉装置を備えたポータブルコンパクトディスク装置の本体、上蓋、回転リング及びロック片の分解斜視図
【図７】図７（ａ）は同ポータブルコンパクトディスク装置の蓋開閉装置のリリース状態での平面図、図７（ｂ）はＸ−Ｘ矢視断面図
【図８】図８（ａ）は同ポータブルコンパクトディスク装置の蓋開閉装置のロック状態での平面図、図８（ｂ）はＹ−Ｙ矢視断面図
【符号の説明】
１  ポータブルコンパクトディスク装置
２  開閉蓋
３  ヒンジ部
１００  本体
１０２  開口部
１０３  ロックガイド
１１０  ビス取付孔
１１１  ビス取付孔
１１２  凸部
１１３  開口部
１１４  ロックガイド取付部
１１５  ロックガイド
１１６  ロックガイド
１１７  傾斜部
２００  上蓋固定板
２０１  ビス取付孔
３００  上蓋
３０１  回転リング保持爪
３０２  つば
３０３  ヒンジ用突片部
３０４  パッキング
３０５  開閉蓋保持爪ガイド孔
３０６  開口部
３０７  ビス取付孔
３０８  ロック片回転軸
３０９  防水カバー取付孔
３１０  シール部材取付孔
４００  回転リング
４０１  操作レバー
４０２  操作レバー取付部
４０３  ボス
４０４  開閉蓋保持爪
４０５  突起部
４０６  回転リングガイド孔
４０７  舌状片
４０８  開口部
４０９  ロック片ガイド孔
５００  ロック片
５０１  ロック片
５０２  ロック片回転中心孔
５０３  連係軸
６００  上蓋カバー
６０１  上蓋カバー
６０２  ボス
６０３  シール部材取付孔
７００  シール部材
７０１  防水カバー
７０２  ディスク再生部
８００  本体
８０２  開口部
８１０  凹部
９００  ロック片
９０１  ロック片
９０２  ロック片回転中心孔
９０３  連係軸
９１０  凸部
９１１  ロック部
【図１】
2004318979.tif 000003
【図２】
2004318979.tif 000004
【図３】
2004318979.tif 000005
【図４】
2004318979.tif 000006
【図５】
2004318979.tif 000007
【図６】
2004318979.tif 000008
【図７】
2004318979.tif 000009
【図８】
2004318979.tif 000010